(57)【要約】【課題】おやすみタイマ運転の操作を簡単に且つ確認しやすくする。【解決手段】室内ユニットの制御装置に選択されたタイマ運転時間後に運転を停止するおやすみタイマ手段を設け、筐体表面に多数のランプを連続して備え各種の表示を行う表示ランプとワイヤレスリモコンの受信装置を設け、前記ワイヤレスリモコンに備えた操作部には操作回数に応じて予め記憶してある複数のタイマ運転時間を順次選択するおやすみタイマスイッチを設け、選択されたタイマ運転時間に応じて前記表示ランプを点灯するようにしたものである。【選択図】図４
2005083713.tif 000002
【特許請求の範囲】
【請求項１】
室内ユニットの制御装置に、選択されたタイマ運転時間後に運転を停止するおやすみタイマ手段を設け、筐体表面に多数のランプを連続して備え各種の表示を行う表示ランプとワイヤレスリモコンの受信装置を設け、前記ワイヤレスリモコンに備えた操作部には操作回数に応じて予め記憶してある複数のタイマ運転時間を順次選択するおやすみタイマスイッチを設け、選択されたタイマ運転時間に応じて前記表示ランプを点灯する事を特徴とする空気調和機。
【請求項２】
前記表示ランプは５個以上連続して設け、通常運転時はタイマ運転以外の表示を行い、前記タイマ運転時間が１時間の場合、略中央の表示ランプを点灯し、前記タイマ運転時間が２時間の場合、両端の表示ランプを点灯し、前記タイマ運転時間が３時間の場合、略中央と両端の表示ランプを点灯し、前記タイマ運転時間が５時間以上の場合は全てのランプを点灯する事を特徴とする請求項１記載の空気調和機。
【発明の詳細な説明】
【技術分野】
【０００１】
この発明は空気調和機の特におやすみタイマの機能を備え、ワイヤレスリモコンを使用しておやすみタイマのセットを行うものに関する。
【背景技術】
【０００２】
従来の空気調和機のタイマ運転、特にはおやすみタイマの時間表示はワイヤレスリモコン（以下リモコンと言う）の液晶に表示され、使用者がこの液晶表示を見ながらリモコンに備えたタイマボタン等の操作をする事でおやすみタイマのタイマ時間の設定を行っていた。
【特許文献１】特許第２９３２９９４号公報
【発明の開示】
【発明が解決しようとする課題】
【０００３】
しかしながら、この従来の空気調和機では、おやすみタイマを設定する場合は、すでに部屋の照明を消した後に操作が行われる事が多くあり、部屋が暗い場合にはリモコンの液晶にておやすみタイマの設定時間を確認できないために、使用者が希望した時間にタイマ設定が行われたかを確認するにはもう一度部屋の照明を点灯して液晶の表示を確認する必要があると言う欠点を有していた。
また、リモコンの液晶にバックライトを取り付けた場合には、リモコンの電池の寿命を短くしてしまうだけではなく、リモコンのコストが高くなり、またリモコン自身の厚さが厚くなってしまうものであった。
【課題を解決するための手段】
【０００４】
この発明はこの点に着目し上記欠点を解決する為、室内ユニットの制御装置に、選択されたタイマ運転時間後に運転を停止するおやすみタイマ手段を設け、筐体表面に多数のランプを連続して備え各種の表示を行う表示ランプとワイヤレスリモコンの受信装置を設け、前記ワイヤレスリモコンに備えた操作部には操作回数に応じて予め記憶してある複数のタイマ運転時間を順次選択するおやすみタイマスイッチを設け、選択されたタイマ運転時間に応じて前記表示ランプを点灯するようにしたものである。
【０００５】
また前記表示ランプは５個以上連続して設け、通常運転時はタイマ運転以外の表示を行い、前記タイマ運転時間が１時間の場合、略中央の表示ランプを点灯し、前記タイマ運転時間が２時間の場合、両端の表示ランプを点灯し、前記タイマ運転時間が３時間の場合、略中央と両端の表示ランプを点灯し、前記タイマ運転時間が５時間以上の場合は全てのランプを点灯するようにしたものである。
【発明の効果】
【０００６】
この発明によれば、部屋の照明を消してしまった後で室内が暗くとも、リモコンに備えたおやすみタイマスイッチの押圧回数で希望のタイマ時間に簡単に設定することができ、かつタイマの設定時間を空気調和機本体に備えたランプ表示で簡単に確認する事ができるものである。
また連続するランプそれぞれの間隔が狭い場合でも、見やすく解りやすいランプ表示ができるものである。
また通常は運転時にイオン運転を表示するランプをおやすみタイマ運転時の表示に兼用したので、余分な費用をかけずに安価におやすみ運転の表示ができるものである。
【発明を実施するための最良の形態】
【０００７】
前記ワイヤレスリモコンに備えた操作部に操作回数に応じて予め記憶してある複数のタイマ運転時間を順次選択するおやすみタイマスイッチと、選択されたタイマ運転時間後に運転を停止するおやすみタイマ手段を設け、前記表示ランプは多数のランプが連続して設けられ、前記選択されたおやすみタイマ運転時間に応じて表示ランプを点灯するようにし、前記表示ランプは５個以上連続して設け、前記タイマ運転時間が１時間の場合、中央の表示ランプを点灯し、前記タイマ運転時間が２時間の場合、両端の表示ランプを点灯し、前記タイマ運転時間が３時間の場合、略中央と両端の表示ランプを点灯し、前記タイマ運転時間が５時間以上の場合は全てのランプを点灯するようにしたものであり、解りやすいランプ表示ができるものである。
【実施例１】
【０００８】
以下この発明の実施例を図面をもとに説明すれば、１はセパレート式空気調和機の室内ユニットで、本体ケーシング２と前方の前面カバー３によって筐体を形成し、前記前面カバー３の正面中央と上部に横長スリット状の吸込口４を有するオープンパネル５を備え、このパネル５は前面カバー３の上部左右に設けた軸（図示せず）を支点として前方へ開閉自在に取付られ、且つ前記軸にて着脱自在に設けられている。
【０００９】
前記吸込口４下方から前面カバー３底面には横長の吹出口６を設け、また前面カバー３上面には前記吸込口４で不足する開口面積を補うために上部吸込口７を設けている。
前記吸込口４・７の内側には樹脂材料から成る網目状のプレフィルタ８が取り付けられ吸込口４・７から吸い込まれた空気中のホコリを取り除くものである。
【００１０】
前記プレフィルタ８の内側には横長で多段に屈曲され、最上部から後部に向かって断面山型に配置されると共に前面に沿って前記吹出口６上方まで位置するフィンチューブ式の熱交換器９を設け、この熱交換器９の後部内側にはクロスフロー式の送風ファン１０を配置している。
この送風ファン１０は通常運転時約７５０〜１，１００ｒｐｍの範囲で多段階の回転数で回転し、前記吸込口４・７から室内空気を吸い込み吹出口６より熱交換された空気を吹き出すものである。
【００１１】
前記熱交換器９の下方には樹脂の発泡材で一体成形されたドレーン皿１１を設け、結露水を受けると共に前記送風ファン１０の送風を吹出口６へ導くエアーガイドの機能を兼ねるものである。
【００１２】
１２は前記オープンパネル５の吸込口４下方の前面中央と吹出口６との間に備えた表示部で、ダイオード等の表示ランプ１３が水平方向に５個連なって設けられ、通常運転時には負イオン発生時に負イオンの発生量に応じて順次点灯又は点滅し、おやすみタイマ運転時には、おやすみタイマ時間の設定が１時間の場合には中央の表示ランプを点灯し、おやすみタイマ時間の設定が２時間の場合には左右両端のランプがそれぞれ点灯し、おやすみタイマ時間の設定が３時間の場合には略中央のと左右両端のランプがそれぞれ点灯し、おやすみタイマ時間の設定が５時間以上の場合には連なった５個のランプが全て点灯するものであり、この表示ランプ１３により運転状態をわかりやすく表示するものであり、特に部屋が暗い状態でも簡単で且つ確実におやすみ運転の設定時間を確認する事ができるものである。
【００１３】
前記表示部１２の右側に備えた穴部１４の中心には、前方に向けて針状の放射電極１５が設けられ、この放射電極１５が直流の高電圧になることで負イオンが発生し、吹出口６からの送風に乗り室内に拡散するものである。
【００１４】
１６は前記吹出口６内に備えた水平ルーバで、空気調和機の運転停止時には上下２枚の羽根にて吹出口６を塞ぎ、運転時には回動により上下に吹出し風の方向を調整するものであり、１７は前記本体ケーシング２に左右方向に回動自在に設けた左右風向板である。
【００１５】
１８は集塵ユニットで約＋２ｋｖの直流電源に接続されたアルミ板に多数の穴２０を設けた放電対極１９と、この穴２０の略中心に向かって針先を位置させた針状電極２２で形成され約−２ｋｖの直流電源に接続された放電極２１とで構成し、空気中の目に見えない塵やタバコの煙を前記放電極２１で帯電し放電対極１９にて捕捉するものであり、前記熱交換器９と前面パネル３の間の上部空間に取り付けられるものである。
【００１６】
２３はイオン発生装置で前記穴部１４背面のオープンパネル５やドレーン皿１１等に固定され、内部には穴部１４に対向して位置する前記放射電極１５とこの放射電極１５を直流の高電圧にする回路部品等を備えるものである。
【００１７】
前記放射電極１５は針状で−８ｋｖ程の電位がかけられ負イオンを発生するもので、針先は鋭利で有るため前面の穴部１４は一個一個が指先の入らない大きさに設けられる。また放射電極１５はイオン発生装置２３内の基板２４から穴部１４に向かって３本平行に設けられている。
２５は前記吸込口４から吸込まれた空気が熱交換器９、送風ファン１０を経由して吹出口６より室内に吹出す送風経路。
【００１８】
図３をもとに制御回路のブロック図を説明すれば、２６は空気調和機の運転停止やおやすみタイマ運転やおはようタイマ運転及び表示部１２への指令を行い、また前記イオン発生装置２３や静電式集塵装置２７の制御等空気調和機全体の制御を行うマイクロコンピュータ等の制御装置である。
【００１９】
２８はワイヤレスリモコン２９の受信装置で、このリモコン２９からの信号を前記制御装置２６に中継するものである。
３０は前記リモコン２９の操作部で、運転スイッチ３１や冷暖房の切替等を行うモードスイッチ３２やおはようタイマスイッチ３３とおやすみタイマスイッチ３４と前記イオン発生装置２３の運転停止を行うイオン運転スイッチ３５等のスイッチ類を備えている。
前記のスイッチ類はスイッチ動作後、ボタンを離すと初期状態に戻るモーメンタリ式のスイッチから構成している。
【００２０】
３６は空気中のイオン濃度を測定するイオンセンサで、前記吸込口４に設けられイオンの発生状態を検知するものである。
３７は前記吸込口４と熱交換器９の間に設けられた室温センサで、吸込空気の温度を測定する。
３８は前記熱交換器９の銅管又はアルミフィン等に取り付けられた熱交センサーで、熱交換器９の温度を測定するものであり、前記イオンセンサ３６や室温センサ３７と共に制御装置２６の入力側に接続されている。
【００２１】
前記制御装置２６の出力側には表示部１２が接続され、この表示部１２には空気調和機運転時に点灯する運転ランプ３９や、おはようタイマ運転時に点灯するおはようタイマランプ４０や、通常運転のイオン発生時に点灯又は点滅するイオン発生の表示を行うと共におやすみタイマ時間の設定が１時間の場合には中央のランプを点灯し、おやすみタイマ時間の設定が２時間の場合には左右両端のランプがそれぞれ点灯し、おやすみタイマ時間の設定が３時間の場合には略中央のと左右両端とのランプがそれぞれ点灯し、おやすみタイマ時間の設定が５時間以上の場合には連なった５個のランプが全て点灯するおやすみイオンランプ４１を備え、これらの表示ランプ１３により運転状態をわかりやすく表示するものであり、特に部屋が暗い状態でも簡単で且つ確実におやすみ運転の設定時間を確認する事ができるものである。
【００２２】
４２は前記制御装置２６に備えたおやすみタイマ手段で、前記リモコン２９のおやすみタイマスイッチ３４の操作を受け手、タイマ時間をカウントし表示ランプ１３の点灯等や設定された時間後の運転停止の指令を発生するものである。
４３は前記送風ファン１０のファンモータ、４４は室外機（図示せず）の室外側制御装置、４５は前記吹出口６に備えた風向変更用の前記水平ルーバ１６を回動するルーバーモータで、前記制御装置２６の出力側にそれぞれ接続されている。
【００２３】
前記イオン発生装置２３は交流１００ｖ５０Ｈｚ又は６０Ｈｚの商用電源が、入力電力制御回路（図示せず）によって約７０〜１００ｖの間に実行電力を調整して前記イオン発生回路（図示せず）に供給し、イオン発生回路では前記放射電極１５が直流約−５〜８ｋｖの電位になるように昇圧することで５，０００〜１０，０００個／ｃｃの負イオンを発生し、室内に放出するものである。
【００２４】
また前記静電式集塵装置２７は交流１００ｖの電源を集塵回路（図示せず）にて約＋２ｋｖと約−２ｋｖの直流に変換して前記集塵ユニット１８に供給するもので、前記リレーによって制御装置２６にて運転、停止を行うものである。
【００２５】
前記おやすみイオンランプ４１は５個のダイオードが水平に連なるものであり、イオン発生装置２３が運転していない場合にはおやすみイオンランプ４１は消灯し、通常運転時にはイオンの発生量に応じて左側から順次ランプが点灯するものであり、おやすみタイマ運転時には（図４参照）、おやすみスイッチ３４の押圧回数に応じて、おやすみタイマ時間の設定が１時間の場合には中央の表示ランプを点灯し、おやすみタイマ時間の設定が２時間の場合には左右両端のランプがそれぞれ点灯し、おやすみタイマ時間の設定が３時間の場合には略中央のと左右両端とのランプがそれぞれ点灯し、おやすみタイマ時間の設定が５時間以上の場合には連なった５個のランプが全て点灯するものであり、この表示ランプ１３により運転状態をわかりやすく表示するものであり、特に部屋の照明を消してしまった後で部屋が暗い状態でも、簡単で且つ確実におやすみ運転の設定時間を確認する事ができるものである。
【００２６】
作動について説明すれば、リモコン２９の運転スイッチ３１を押圧すれば送風ファン１０が回転を始めると共に室外ユニットに備えた圧縮機が回転し冷凍回路内の冷媒が循環する事で冷房運転時には熱交換器９は低温になり、暖房運転時には熱交換器９は高温になり、吸込口４から吸込まれた室内の空気が熱交換され吹出口６より室内吹出される事で室内の空気調和が行われる。
【００２７】
これと連動してイオン発生装置２３も通常運転を開始し、放射電極１５が高電圧になることで負イオンが発生し、放射電極１５から発生した負イオンは吹出口６から吹出される送風に乗って勢いよく室内にまんべんなく拡散されるものである。
【００２８】
おやすみタイマスイッチ３４を押圧すれば、おやすみタイマスイッチ３４の押圧回数に応じて表示ランプ１３が点灯する。１回の押圧ではおやすみタイマ時間の設定が１時間になり中央の表示ランプが点灯し、２回の押圧ではおやすみタイマ時間の設定が２時間になり左右両端のランプがそれぞれ点灯し、３回の押圧ではおやすみタイマ時間の設定が３時間になり略中央と左右両端のランプがそれぞれ点灯し、４回の押圧ではおやすみタイマ時間の設定が５時間になり連なった５個のランプが全て点灯し、５回の押圧ではおやすみタイマ時間の設定が７時間になり５個のランプがそのまま点灯し、６回の押圧でおやすみタイマは解除されるものであり、この表示ランプ１３により運転状態をわかりやすく表示するものであり、特に部屋の照明を消してしまった後で部屋が暗い状態でも、簡単で且つ確実におやすみ運転の設定時間を確認する事ができるものである。
【００２９】
このように、部屋の照明を消してしまった後で室内が暗くとも、リモコンに備えたおやすみタイマスイッチの押圧回数で希望のタイマ時間に簡単に設定することができ、かつタイマの設定時間を空気調和機本体に備えたランプ表示で簡単に確認する事ができるものである。
また連続するランプそれぞれの間隔が狭い場合でも、見やすく解りやすいランプ表示ができるものである。
【図面の簡単な説明】
【００３０】
【図１】この発明一実施例の正面図。
【図２】同側面の断面図。
【図３】同ブロック図。
【図４】同おやすみ運転時のランプ表示の説明図。
【図５】同集塵ユニットの説明図。
【符号の説明】
【００３１】
１    室内ユニット
１３    表示ランプ
２９    ワイヤレスリモコン
３４    おやすみタイマスイッチ
４１    おやすみイオンランプ
【図１】
2005083713.tif 000003
【図２】
2005083713.tif 000004
【図３】
2005083713.tif 000005
【図４】
2005083713.tif 000006
【図５】
2005083713.tif 000007